(57)【要約】【課題】天井や壁面等に簡単に取付けることができ、工事部材を大幅に減少して工事施工性を向上すると共に工事コストを低減するアンテナ装置を提供する。【解決手段】アンテナ装置３１Ａの入力接栓３３は、外導体３５の長さを天井４０の厚さより十分に長く形成する。アンテナ装置３１Ａを天井４０に取付ける場合、天井４０の接栓取付位置に接栓取付穴４１を設け、この接栓取付穴４１内に入力接栓３３を下側から挿入し、接栓取付穴４１より上方に突出させた入力接栓３３のネジ部３６にワッシャ４２を介してナット３７を取付けて固定する。また、アンテナ装置３１Ａのケース３２内に電源分離器５１、増幅器５２、フィルタ５３、送信アンテナ５４を設け、送信信号に重畳された電源を電源分離器５１で分離して増幅器５２に供給する。入力接栓３３に入力される送信信号を増幅器５２で増幅し、フィルタ５３を介して送信アンテナ５４へ出力し、外部に送信する。【選択図】      図１
2010056658.tif 000002
【特許請求の範囲】
【請求項１】
ケースの外側面に突出して設けた入力接栓の外導体にネジ部を形成し、該入力接栓を取付構造物にワッシャとナットにより挟み込み、該ナットを前記外導体のネジ部に螺着して固定するアンテナ装置において、
前記ケース内に設けられ、前記入力接栓に供給される高周波信号を増幅する増幅器と、
前記入力接栓に高周波信号に重畳して供給される電源を分離し、前記増幅器に動作電源として供給する電源分離器と、
前記増幅器により増幅された高周波信号を選択するフィルタと、
前記フィルタにより選択された高周波信号を外部に送信するアンテナと、
を具備することを特徴とするアンテナ装置。
【発明の詳細な説明】
【技術分野】
【０００１】
本発明は、無線通信やテレビ放送分野等において、例えばビル内あるいは地下街等の天井や壁面等に取付けて使用するアンテナ装置に関する。
【背景技術】
【０００２】
無線通信あるいは地上デジタル放送の中継装置等においては、ビル内あるいは地下街等の天井や壁面に入出力接栓を有するアンテナを取付けて使用している（例えば、特許文献１参照。）。
【０００３】
上記入出力接栓を有するアンテナを天井や壁面等に取付ける場合、従来では図１３や図１４に示すようにして取付けている。
【０００４】
図１３に示す例では、アンテナ１１のケース上面、すなわち入出力接栓１２と同じ装着面に予め複数本の取付ボルト１４を取付けておき、天井１３に設けた接栓通し穴１５及びボルト取付穴１６に入出力接栓１２、取付ボルト１４をそれぞれ挿入し、天井１３の裏面側に突出させた取付ボルト１４の先端にワッシャ１７を介してナット１８を螺着して固定している。
【０００５】
また、図１４に示す例では、アンテナ１１のケース上面、すなわち入出力接栓１２と同じ装着面に、予めケースより大きい取付板２０を取付けておき、ケースの外側において、天井１３に設けたネジ穴２１に上記取付板２０及びワッシャ２２を介して取付ボルト２３を締付けて固定している。
【０００６】
上記図１３及び図１４に示した従来のアンテナ付方法では、天井１３に入出力接栓１２を通すための接栓通し穴１５の他、取付ボルト１４を取付けるためのボルト取付穴１６あるいは取付ボルト２３を取付けるためのネジ穴２１を設ける必要がある。また、取付ボルト１４、２３の取付けに際しては、その取付け位置を測定して対応する天井１３の位置にボルト取付穴１６やネジ穴２１をあけなければならず、設置工事に時間が掛かりコスト高になるという問題があった。更に、天井１３には数多くの穴をあける必要があるため、設置場所の管理者やオーナーから取付許可が得にくいなどの問題があった。
【０００７】
なお、上記図１３及び図１４では、アンテナ１１を天井１３に取付けた場合について示したが、壁面に取付ける場合も同様である。
【特許文献１】特開平９−９３０１１号公報
【発明の開示】
【発明が解決しようとする課題】
【０００８】
上記のように従来のアンテナの取付方法では、天井１３や壁面に入出力接栓１２を通すための接栓通し穴１５の他、取付ボルト１４、２３を取付けるためのボルト取付穴１６やネジ穴２１を複数設ける必要があるので、設置工事に時間が掛かりコスト高になると共に、天井や壁面等に数多くの穴をあける必要があるため設置場所の管理者やオーナーから取付許可が得にくいなどの問題があった。
【０００９】
また、従来、入出力接栓を有するアンテナを設置する際、ケーブルロスを考慮し、近傍に増幅器や、増幅器を動作させるための電源、フィルタ、及び接続ケーブル等を設置する必要があり、これらの取付部材をも含めて多くの部材が必要であることや、工事コストが多く掛かる等の問題があった。
【００１０】
本発明は上記の課題を解決するためになされたもので、取付けに際してボルト取付穴やネジ穴を設ける必要がなく、接栓取付穴を利用して天井や壁面等に簡単に取付けることができ、且つ増幅器やフィルタ等を内蔵することにより、工事部材を大幅に減少して工事施工性を向上し得ると共に工事コストを低減し得るアンテナ装置を提供することを目的とする。
【課題を解決するための手段】
【００１１】
本発明は、ケースの外側面に突出して設けた入力接栓の外導体にネジ部を形成し、該入力接栓を取付構造物にワッシャとナットにより挟み込み、該ナットを前記外導体のネジ部に螺着して固定するアンテナ装置において、
前記ケース内に設けられ、前記入力接栓に供給される高周波信号を増幅する増幅器と、前記入力接栓に高周波信号に重畳して供給される電源を分離し、前記増幅器に動作電源として供給する電源分離器と、前記増幅器により増幅された高周波信号を選択するフィルタと、前記フィルタにより選択された高周波信号を外部に送信するアンテナとを具備することを特徴とする。
【発明の効果】
【００１２】
本発明によれば、アンテナ装置を天井等の取付構造物に容易に取付けることができると共に、アンテナ装置の近傍に増幅器や、増幅器を動作させるための電源、フィルタ及びこれらの機器間を接続するケーブル等を設置する必要がなく、工事に必要な部材を減少し得ると共に工事を簡易化して工事期間を短縮でき、工事コストを低減することができる。
【発明を実施するための最良の形態】
【００１３】
以下、図面を参照して本発明の実施形態を説明する。
【００１４】
（第１実施形態）
第１実施形態は、例えば無線通信装置あるいは地上デジタル放送の中継装置等の送信機に接続されて電波送信を行うアンテナ装置に実施した場合について示したものである。
【００１５】
図１は本発明の第１実施形態に係るアンテナ装置３１Ａを天井４０に取付けた状態を示す側断面図、図２は同実施形態に係るアンテナ装置３１Ａの詳細な回路構成及び送信機との接続構成を示すブロック図である。
【００１６】
図１に示すようにアンテナ装置３１Ａは、例えば合成樹脂等の誘電体により形成されたケース３２を備え、このケース３２の上面中央部に入力接栓３３が突出して設けられ、例えばネジ３４により固定される。上記入力接栓３３は、外導体３５の外周にネジ部（雄ネジ）３６が形成され、このネジ部３６にナット３７が着脱可能に設けられる。また、上記入力接栓３３は、外導体３５の長さＬが取付構造物例えば天井４０の厚さｄより十分に長く形成される。
【００１７】
上記アンテナ装置３１Ａを天井４０に取付ける場合には、天井４０の接栓取付位置に接栓取付穴４１を設け、この接栓取付穴４１内にアンテナ装置３１Ａの入力接栓３３を下側から挿入し、その上部を接栓取付穴４１より上方に突出させる。なお、接栓取付穴４１内に入力接栓３３を挿入する際は、予め入力接栓３３からナット３７を外しておく。
【００１８】
そして、上記接栓取付穴４１の上方に突出させた入力接栓３３のネジ部３６にワッシャ４２を介してナット３７を取付け、締付けて固定する。この場合、ワッシャ４２は、接栓取付穴４１よりも十分に大きく形成する。
【００１９】
上記アンテナ装置３１Ａは、ケース３２内に電源分離器５１、増幅器５２、フィルタ５３及び送信アンテナ５４を内蔵しており、入力接栓３３には図２に示すように送信機６１から出力される高周波信号（送信信号）が同軸線路６２を介して入力される。上記同軸線路６２の途中には電源重畳器６３が設けられ、その電源入力端子６４には、上記増幅器５２を動作させるための所定電圧の直流電源が供給される。上記送信機６１から同軸線路６２に出力される送信信号は、電源重畳器６３で電源が重畳されてアンテナ装置３１Ａの入力接栓３３に入力される。
【００２０】
上記入力接栓３３に入力された送信信号は、電源分離器５１を介して増幅器５２に入力される。このとき電源分離器５１は、送信信号に重畳されている電源を分離し、増幅器５２の電源入力端子に供給する。これにより増幅器５２が動作し、送信信号を増幅する。この増幅器５２で増幅された送信信号は、フィルタ５３を介して送信アンテナ５４へ送られ、外部に送信される。
【００２１】
上記第１実施形態によれば、入力接栓３３を機器の取付構造と兼ねることができ、最低限必要な接栓取付穴４１を利用してアンテナ装置３１Ａを天井４０に容易に取付けることができる。この結果、取付ネジの位置関係を測定して天井４０に多数の穴加工する必要を無くし、工事を簡易化することができる。また、天井４０には、入力接栓３３を挿入するための接栓取付穴４１を設けるだけで良く、その他の取付穴を設ける必要がないので、設置場所の管理者やオーナーから取付許可が得やすくなるという利点がある。
【００２２】
また、アンテナ装置３１Ａのケース３２内に増幅器５２、フィルタ５３及び送信アンテナ５４を内蔵すると共に、送信機６１から出力される送信信号に電源を重畳してアンテナ装置３１Ａ内の増幅器５２に供給することにより、アンテナ装置３１Ａの近傍に増幅器や、増幅器を動作させるための電源、フィルタ、及びこれらの機器間を接続するケーブル等を設置する必要がなく、工事に必要な部材を減少し得ると共に工事を簡易化して工事期間を短縮でき、工事コストを低減することができる。
【００２３】
（第２実施形態）
次に本発明の第２実施形態について説明する。
【００２４】
第２実施形態は、２周波送信が可能なアンテナ装置に実施した場合について示したものである。
【００２５】
図３は本発明の第２実施形態に係るアンテナ装置３１Ｂを天井４０に取付けた状態を示す側断面図、図４は同実施形態に係るアンテナ装置３１Ｂの詳細な回路構成及び２周波送信機との接続構成を示すブロック図である。
【００２６】
この第２実施形態に係るアンテナ装置３１Ｂは、図３に示すようにケース３２内に電源分離器５１、広帯域増幅器５２Ａ、共用器５５、第１の送信アンテナ５４ａ及び第２の送信アンテナ５４ｂを設けている。その他の構成、すなわち天井４０への取付構造は第１実施形態と同じであるので、同一部分には同一符号を付して詳細な説明は省略する。
【００２７】
上記アンテナ装置３１Ｂの入力接栓３３には、図４に示すように２周波送信機６１Ａから出力される周波数の異なる２つの送信信号が同軸線路６２を介して入力される。上記同軸線路６２の途中には電源重畳器６３が設けられ、その電源入力端子６４には、上記広帯域増幅器５２Ａを動作させるための電源が供給される。上記２周波送信機６１Ａから同軸線路６２に出力される送信信号は、電源重畳器６３で電源が重畳されてアンテナ装置３１Ｂの入力接栓３３に入力される。
【００２８】
上記入力接栓３３に入力された２周波の送信信号は、電源分離器５１を介して広帯域増幅器５２Ａに入力される。このとき電源分離器５１は、送信信号に重畳されている電源を分離し、広帯域増幅器５２Ａの電源入力端子に供給する。広帯域増幅器５２Ａは、電源分離器５１から供給される電源によって動作し、２周波の送信信号を増幅して共用器５５へ出力する。共用器５５は、例えば２つのフィルタにより構成されており、広帯域増幅器５２Ａで増幅された周波数の異なる２つの送信信号をそれぞれ選択して第１の送信アンテナ５４ａ、第２の送信アンテナ５４ｂへ出力する。これにより第１の送信アンテナ５４ａ、第２の送信アンテナ５４ｂからは、それぞれ周波数の異なる２つの送信信号が外部に送信される。
【００２９】
上記のように第２の実施形態では、２周波送信機６１Ａから同軸線路６２を介してアンテナ装置３１Ｂの入力接栓３３に入力される２周波の送信信号は、広帯域増幅器５２Ａで増幅された後、共用器５５で分離されて第１の送信アンテナ５４ａ及び第２の送信アンテナ５４ｂに入力され、それぞれ外部に送信される。すなわち、２周波送信機６１Ａから出力される２周波の送信信号を１つの広帯域増幅器５２Ａで増幅し、２つの送信アンテナ５４ａ、５４ｂから外部に送信することができる。
【００３０】
上記第２実施形態によれば、第１実施形態と同様に接栓取付穴４１を利用してアンテナ装置３１Ｂを天井４０に容易に取付けることができると共に、アンテナ装置３１Ｂの近傍に増幅器や、増幅器を動作させるための電源、フィルタ、及びこれらの機器間を接続するケーブル等を設置する必要がなく、工事に必要な部材を減少し得ると共に工事を簡易化して工事期間を短縮でき、工事コストを低減することができる。
【００３１】
（第３実施形態）
次に本発明の第３実施形態について説明する。
【００３２】
第３実施形態は、上記図３及び図４に示した第２実施形態に係るアンテナ装置において、２周波送信機６１Ａから出力される２周波の送信信号をそれぞれ別個に設けた増幅器で増幅して送信アンテナから外部に送信する場合について示したものである。
【００３３】
図５は本発明の第３実施形態に係るアンテナ装置３１Ｃを天井に取付けた状態を示す側断面図、図６は同実施形態に係るアンテナ装置３１Ｃの詳細な回路構成及び２周波送信機との接続構成を示すブロック図である。
【００３４】
第３実施形態に係るアンテナ装置３１Ｃは、図５に示すようにケース３２内に電源分離器５１、共用器５５、送信信号を増幅する第１及び第２の増幅器５２ａ、５２ｂ、上記増幅器５２ａ、５２ｂの出力をそれぞれ選択する第１及び第２のフィルタ５３ａ、５３ｂ、第１及び第２の送信アンテナ５４ａ、５４ｂを設けている。アンテナ装置３１Ｃの天井４０への取付構造は第１実施形態と同じであるので、同一部分には同一符号を付して詳細な説明は省略する。
【００３５】
上記アンテナ装置３１Ｃの入力接栓３３には、図６に示すように２周波送信機６１Ａから出力される周波数の異なる２つの送信信号が同軸線路６２及び電源重畳器６３を介して入力される。
【００３６】
上記入力接栓３３に入力された２周波の送信信号は、電源分離器５１を介して共用器５５に入力される。電源分離器５１は、入力接栓３３に入力される送信信号から電源を分離して第１の増幅器５２ａ及び第２の増幅器５２ｂの電源入力端子に供給する。
【００３７】
共用器５５は、入力接栓３３から電源分離器５１を介して入力される２周波の送信信号を分離して第１の増幅器５２ａと第２の増幅器５２ｂに入力する。増幅器５２ａ、５２ｂは、共用器５５で分離された２周波の送信信号をそれぞれ増幅する。上記各増幅器５２ａ、５２ｂで増幅された２周波の送信信号は、それぞれ第１のフィルタ５３ａ、第２のフィルタ５３ｂを介して第１の送信アンテナ５４ａ、第２の送信アンテナ５４ｂへ送られ、外部へ送信される。
【００３８】
上記のように第３実施形態では、２周波送信機６１Ａから同軸線路６２を介してアンテナ装置３１Ｃの入力接栓３３に入力される周波数の異なる２つの送信信号は、共用器５５で分離され、それぞれ第１の増幅器５２ａ及び第２の増幅器５２ｂで系統別に増幅された後、フィルタ５３ａ、５３ｂを介して第１の送信アンテナ５４ａ及び第２の送信アンテナ５４ｂへ送られ、それぞれ外部に送信される。
【００３９】
上記第３実施形態によれば、上記各実施形態と同様に接栓取付穴４１を利用してアンテナ装置３１Ｃを天井４０に容易に取付けることができると共に、アンテナ装置３１Ｃの近傍に増幅器や、増幅器を動作させるための電源、フィルタ、及びこれらの機器間を接続するケーブル等を設置する必要がなく、工事に必要な部材を減少し得ると共に工事を簡易化して工事期間を短縮でき、工事コストを低減することができる。
【００４０】
（第４実施形態）
次に本発明の第４実施形態について説明する。
【００４１】
第４実施形態は、上記図５及び図６に示した第３実施形態に係るアンテナ装置において、２周波送信機６１Ａから出力される２周波の送信信号を１つの広帯域アンテナより外部に送信する場合について示したものである。
【００４２】
図７は本発明の第４実施形態に係るアンテナ装置を天井に取付けた状態を示す側断面図、図８は同実施形態に係るアンテナ装置内部の詳細な回路構成及び２周波送信機との接続構成を示すブロック図である。
【００４３】
第４実施形態に係るアンテナ装置３１Ｄは、図７に示すようにケース３２内に電源分離器５１、第１の共用器５５ａ、第１及び第２の増幅器５２ａ、５２ｂ、第２の共用器５５ｂ、広帯域アンテナ５４Ａを設けている。アンテナ装置３１Ｄの天井４０への取付構造は上記各実施形態と同じであるので、同一部分には同一符号を付して詳細な説明は省略する。
【００４４】
図８に示すようにアンテナ装置３１Ｄの入力接栓３３には、２周波送信機６１Ａから出力される周波数の異なる２つの送信信号が同軸線路６２及び電源重畳器６３を介して入力される。
【００４５】
上記入力接栓３３に入力された２周波の送信信号は、電源分離器５１を介して第１の共用器５５ａに入力される。電源分離器５１は、入力接栓３３に入力される送信信号から電源を分離して第１の増幅器５２ａ及び第２の増幅器５２ｂの電源入力端子に入力する。
【００４６】
第１の共用器５５ａは、入力接栓３３から電源分離器５１を介して入力される２周波の送信信号を選択して第１の増幅器５２ａと第２の増幅器５２ｂに入力する。増幅器５２ａ、５２ｂは、第１の共用器５５ａで分離された２周波の送信信号をそれぞれ増幅する。上記増幅器５２ａ、５２ｂで増幅された２周波の送信信号は、第２の共用器５５ｂを介して広帯域アンテナ５４Ａへ送られ、外部へ送信される。
【００４７】
上記のように第４実施形態では、２周波送信機６１Ａから同軸線路６２を介してアンテナ装置３１Ｄの入力接栓３３に入力される周波数の異なる２つの送信信号は、第１の共用器５５ａで分離され、それぞれ第１の増幅器５２ａ及び第２の増幅器５２ｂで系統別に増幅された後、第２の共用器５５ｂにより合成されて広帯域アンテナ５４Ａへ送られ、外部に送信される。すなわち、２周波送信機６１Ａから出力される２周波の送信信号を１つの広帯域アンテナ５４Ａで送信することができる。
【００４８】
上記第４実施形態によれば、上記各実施形態と同様に接栓取付穴４１を利用してアンテナ装置３１Ｃを天井４０に容易に取付けることができると共に、アンテナ装置３１Ｄの近傍に増幅器や、増幅器を動作させるための電源、フィルタ、及びこれらの機器間を接続するケーブル等を設置する必要がなく、工事に必要な部材を減少し得ると共に工事を簡易化して工事期間を短縮でき、工事コストを低減することができる。
【００４９】
（第５実施形態）
次に本発明の第５実施形態について説明する。
【００５０】
第５実施形態は、例えば無線通信装置あるいは地上デジタル放送の中継装置等の送受信機に接続されて電波の送受信を行うアンテナ装置に実施した場合について示したものである。
【００５１】
図９は本発明の第５実施形態に係るアンテナ装置３１Ｅを天井４０に取付けた状態を示す側断面図、図１０は同実施形態に係るアンテナ装置３１Ｅの詳細な回路構成及び送受信機との接続構成を示すブロック図である。
【００５２】
第５実施形態に係るアンテナ装置３１Ｅは、図９に示すようにケース３２内に電源分離器５１、共用器５５、送信信号を増幅する第１の増幅器５２ａ、受信信号を増幅する第２の増幅器５２ｂ、第１及び第２のフィルタ５３ａ、５３ｂ、送信アンテナ５４、受信アンテナ５６を設けている。アンテナ装置３１Ｅの天井４０への取付構造は上記各実施形態と同様の構成であるので、同一部分には同一符号を付して詳細な説明は省略する。なお、本実施形態では、送信及び受信機能を備えているので、入力接栓３３に代えて入出力接栓３３ａを使用している。
【００５３】
図１０に示すようにアンテナ装置３１Ｅの入出力接栓３３ａには、送受信機６１Ｂから出力される送信信号が同軸線路６２及び電源重畳器６３を介して入力される。
【００５４】
上記入出力接栓３３ａに入力される送信信号は、電源分離器５１を介して共用器５５に入力される。電源分離器５１は、送受信機６１Ｂより同軸線路６２を介して入出力接栓３３ａに供給される送信信号から電源を分離して第１の増幅器５２ａ及び第２の増幅器５２ｂの電源入力端子に供給する。
【００５５】
共用器５５は、入出力接栓３３ａから電源分離器５１を介して入力される送信信号を選択して第１の増幅器５２ａに入力する。この第１の増幅器５２ａは、上記送信信号を増幅する。この第１の増幅器５２ａで増幅された送信信号は、第１のフィルタ５３ａを介して送信アンテナ５４へ送られ、外部へ送信される。
【００５６】
また、受信アンテナ５６で受信された信号は、第２のフィルタ５３ｂを介して第２の増幅器５２ｂに入力されて増幅される。この第２の増幅器５２ｂで増幅された受信信号は、共用器５５、電源分離器５１及び入出力接栓３３ａを介して外部に出力され、同軸線路６２により送受信機６１Ｂへ送られる。
【００５７】
上記のように第５実施形態では、送受信機６１Ｂから同軸線路６２を介してアンテナ装置３１Ｅに入力される送信信号が第１の増幅器５２ａで増幅された後、第１のフィルタ５３ａを介して送信アンテナ５４へ送られて外部に送信される。また、受信アンテナ５６で受信された信号は、第２のフィルタ５３ｂから第２の増幅器５２ｂに入力されて増幅され、その後、共用器５５、電源分離器５１及び入出力接栓３３ａを介して外部に出力され、同軸線路６２を介して送受信機６１Ｂへ送られる。
【００５８】
第５実施形態によれば、上記各実施形態と同様に接栓取付穴４１を利用してアンテナ装置３１Ｅを天井４０に容易に取付けることができると共に、アンテナ装置３１Ｅの近傍に増幅器や、増幅器を動作させるための電源、フィルタ、及びこれらの機器間を接続するケーブル等を設置する必要がなく、工事に必要な部材を減少し得ると共に工事を簡易化して工事期間を短縮でき、工事コストを低減することができる。
【００５９】
（第６実施形態）
次に本発明の第６実施形態について説明する。
【００６０】
第６実施形態は、図９及び図１０に示した第５実施形態に係るアンテナ装置において、１つの送受信アンテナを送信及び受信に共用する場合について示したものである。
【００６１】
図１１は本発明の第６実施形態に係るアンテナ装置３１Ｆを天井４０に取付けた状態を示す側断面図、図１２は同実施形態に係るアンテナ装置３１Ｆの詳細な回路構成及び送受信機との接続構成を示すブロック図である。
【００６２】
第６実施形態に係るアンテナ装置３１Ｆは、図１１に示すようにケース３２内に電源分離器５１、第１の共用器５５ａ、送信信号を増幅する第１の増幅器５２ａ、受信信号を増幅する第２の増幅器５２ｂ、送受信アンテナ５４Ｂを設けている。すなわち、上記第５実施形態では送信アンテナ５４と受信アンテナ５６とを別個に設けているのに対し、この第６実施形態は１つの送受信アンテナ５４Ｂを送信と受信に共用している。アンテナ装置３１Ｆの天井４０への取付構造は上記各実施形態と同様の構成であるので、同一部分には同一符号を付して詳細な説明は省略する。
【００６３】
図１２に示すようにアンテナ装置３１Ｆの入出力接栓３３ａには、送受信機６１Ｂから出力される送信信号が同軸線路６２及び電源重畳器６３を介して入力される。
【００６４】
上記入出力接栓３３ａに入力される送信信号は、電源分離器５１を介して第１の共用器５５ａに入力される。電源分離器５１は、入出力接栓３３ａに入力される送信信号から電源を分離して第１の増幅器５２ａ及び第２の増幅器５２ｂの電源入力端子に供給する。
【００６５】
第１の共用器５５ａは、入出力接栓３３ａから電源分離器５１を介して入力される送信信号を選択して第１の増幅器５２ａに入力する。この第１の増幅器５２ａで増幅された送信信号は、第２の共用器５５ｂを介して送受信アンテナ５４Ｂへ送られ、外部へ送信される。
【００６６】
また、送受信アンテナ５４Ｂで受信された信号は、第２の共用器５５ｂを介して第２の増幅器５２ｂに入力されて増幅される。この第２の増幅器５２ｂで増幅された受信信号は、第１の共用器５５ａ、電源分離器５１及び入出力接栓３３ａを介して出力され、同軸線路６２により送受信機６１Ｂへ送られる。
【００６７】
上記のように第６実施形態では、送受信機６１Ｂから同軸線路６２を介してアンテナ装置３１Ｆに入力される送信信号が第１の増幅器５２ａで増幅された後、送受信アンテナ５４Ｂから外部に送信される。また、送受信アンテナ５４Ｂで受信された信号は、第２の共用器５５ｂから第２の増幅器５２ｂに入力されて増幅され、第１の共用器５５ａ、電源分離器５１及び入出力接栓３３ａを介して外部に出力され、同軸線路６２を介して送受信機６１Ｂへ送られる。
【００６８】
第６実施形態によれば、第１及び第２実施形態と同様に接栓取付穴４１を利用してアンテナ装置３１Ｆを天井４０に容易に取付けることができると共に、アンテナ装置３１Ｆの近傍に増幅器や、増幅器を動作させるための電源、フィルタ、及びこれらの機器間を接続するケーブル等を設置する必要がなく、工事に必要な部材を減少し得ると共に工事を簡易化して工事期間を短縮でき、工事コストを低減することができる。
【００６９】
なお、上記各実施形態では、天井４０にアンテナ装置３１Ａ〜３１Ｆを装着した場合を例として示したが、その他、例えば壁面等の取付構造物であっても、天井４０の場合と同様にしてアンテナ装置３１Ａ〜３１Ｆを装着することが可能である。
【００７０】
また、本発明は、上記実施形態そのままに限定されるものではなく、実施段階ではその要旨を逸脱しない範囲で構成要素を変形して具体化できるものである。
【図面の簡単な説明】
【００７１】
【図１】本発明の第１実施形態に係るアンテナ装置の取付構造を示す側断面図である。
【図２】同実施形態に係るアンテナ装置の詳細な回路構成及び送信機との接続構成を示すブロック図である。
【図３】本発明の第２実施形態に係るアンテナ装置の取付構造を示す側断面図である。
【図４】同実施形態に係るアンテナ装置の詳細な回路構成及び２周波送信機との接続構成を示すブロック図である。
【図５】本発明の第３実施形態に係るアンテナ装置の取付構造を示す側断面図である。
【図６】同実施形態に係るアンテナ装置の詳細な回路構成及び２周波送信機との接続構成を示すブロック図である。
【図７】本発明の第４実施形態に係るアンテナ装置の取付構造を示す側断面図である。
【図８】同実施形態に係るアンテナ装置の詳細な回路構成及び２周波送信機との接続構成を示すブロック図である。
【図９】本発明の第５実施形態に係るアンテナ装置の取付構造を示す側断面図である。
【図１０】同実施形態に係るアンテナ装置の詳細な回路構成及び送受信機との接続構成を示すブロック図である。
【図１１】本発明の第６実施形態に係るアンテナ装置の取付構造を示す側断面図である。
【図１２】同実施形態に係るアンテナ装置の詳細な回路構成及び送受信機との接続構成を示すブロック図である。
【図１３】従来における電子機器の取付構造を示す側断面図である。
【図１４】従来における他の電子機器の取付構造を示す側断面図である。
【符号の説明】
【００７２】
３１Ａ〜３１Ｆ…第１ないし第６実施形態に係るアンテナ装置、３２…ケース、３３…入力接栓、３３ａ…入出力接栓、３４…ネジ、３５…外導体、３６…ネジ部、３７…ナット、４０…天井、４１…接栓取付穴、４２…ワッシャ、５１…電源分離器、５２…増幅器、５２Ａ…広帯域増幅器、５２ａ…第１の増幅器、５２ｂ…第２の増幅器、５３…フィルタ、５３ａ…第１のフィルタ、５３ｂ…第２のフィルタ、５４…送信アンテナ、５４ａ…第１の送信アンテナ、５４ｂ…第２の送信アンテナ、５４Ａ…広帯域アンテナ、５４Ｂ…送受信アンテナ、５５…共用器、５５ａ…第１の共用器、５５ｂ…第２の共用器、５６…受信アンテナ、６１…送信機、６１Ａ…２周波送信機、６１Ｂ…送受信機、６２…同軸線路、６３…電源重畳器、６４…電源入力端子。
【図１】
2010056658.tif 000003
【図２】
2010056658.tif 000004
【図３】
2010056658.tif 000005
【図４】
2010056658.tif 000006
【図５】
2010056658.tif 000007
【図６】
2010056658.tif 000008
【図７】
2010056658.tif 000009
【図８】
2010056658.tif 000010
【図９】
2010056658.tif 000011
【図１０】
2010056658.tif 000012
【図１１】
2010056658.tif 000013
【図１２】
2010056658.tif 000014
【図１３】
2010056658.tif 000015
【図１４】
2010056658.tif 000016